(57)【特許請求の範囲】
【請求項１】
基材上の表面に、盛り上がりのある線画から構成される基本画像を設け、前記基本画像は、背景画像部と少なくとも一つ以上のメッセージ画像部とに区分けされ、前記背景画像部と前記メッセージ画像部との線画の配列方向の角度が異なり、且つ、前記背景画像部と前記メッセージ画像部は鏡面光沢のあるインキで印刷した印刷物であって、
前記インキが、鱗片状顔料、金属粉顔料、ガラスフレーク又はコレステリック液晶顔料を含み、
前記顔料が、平面配向性を向上させるために撥水及び撥油性を持たせる表面処理を施してあり、
該印刷物を真上から観察した場合に前記メッセージ画像は認識できないが、斜めから観察した場合に、前記メッセージ画像が出現し、観察角度によっては、前記メッセージ画像の明暗及び色彩の少なくとも一つ以上が連続的に変化し、前記メッセージ画像がネガ画像からポジ画像又はポジ画像からネガ画像に変化して出現することを特徴とした真偽判別可能な印刷物。
【請求項２】
前記背景画像部の線画及び前記メッセージ画像部の線画が、万線パターン及び曲万線パターンの少なくとも一つ以上で構成されていることを特徴とした請求項１記載の真偽判別可能な印刷物。
【請求項３】
前記背景画像部の線画及び前記メッセージ画像部の線画のそれぞれの画線幅が３０から１０００ミクロンの範囲であることを特徴とした請求項１又は２記載の真偽判別可能な印刷物。
【請求項４】
前記盛り上がりのある線画の各画線の高さが１０ミクロンから１５０ミクロンの範囲であることを特徴とした請求項１乃至３のいずれかに記載の真偽判別可能な印刷物。
【請求項５】
前記インキがＵＶ硬化型インキまたは電子線硬化型インキであることを特徴とした請求項１乃至４のいずれかに記載の真偽判別可能な印刷物。
【発明の詳細な説明】
【０００１】
【発明の属する技術分野】
本発明は、銀行券、株券、有価証券、通行券、カード等の偽造、変造を防止する必要性のある貴重印刷物に適用される、基本画像内に施されたメッセージ画像が、印刷物の真上から観察した場合にメッセージ画像を肉眼で識別することができず、印刷物を傾けることにより、メッセージ画像が潜像画像として出現する真偽判別可能な印刷物及びその作製方法に関するものである。
【０００２】
【従来の技術】
従来、銀行券、株券、有価証券、通行券、カード等の偽造、変造を防止する必要性のある貴重印刷物において、印刷物を傾けて観察することにより潜像画像を認識できるようにして真偽判別を行う技術は公知であり、凹版印刷物の画線構成を利用するもの、凹凸基材と印刷画線を利用するもの、光学的変化インキを利用するもの等が挙げられる。
【０００３】
前記凹版印刷物の画線構成を利用し、潜像画像を出現させるもの、例えば、凹版印刷された万線に潜像画像となる画線部を高い画線で構成し、その他の凹版印刷画線の非画線部を画線部より低い画線で構成している。このことにより、印刷物の角度を変えて観察すると非画線部より画線部の方が早く、万線間隔が画線の高さにより閉ざされ潜像画像が発現するものが開示されている（特公昭５６−１９２７３号公報参照）。しかしこの方法では、万線方向からは潜像画像が発現せず、万線に対して直角方向でしか発現しない。また、画線部と非画線部との高さの差でしか潜像画像が発現しないため、潜像画像が見える角度まで限定され、容易に潜像画像を確認できない。更に、特公昭５６−１９２７３号公報では、画線の幅が均一で向きが異なることにより潜像画像を発現させるものがある。しかし、この方法では、目視により容易に潜像画像を形成する場所が確認できてしまうという欠点がある。また、潜像を出現させるには観察角度を深くしなければならなかった。また、浅い観察角度で潜像を出現させるには、インキの盛りを高くする必要があるが印刷物を生産する上で困難であった。また、潜像画像は観察角度によってネガ画像からポジ画像又はポジ画像からネガ画像に変化することはなかった。
【０００４】
前記光学的変化インキを利用し、潜像画像を出現させるもの、例えば、裏面に鱗片状顔料を含むインクによりパターンをグラビア印刷若しくはシルクスクリーン印刷により形成する。鱗片状顔料の分布の偏りにより、見る角度によってパターンの太さが変化して見える。また、パターンの色も変化して見える。更に、パターン内に文字等を付与でき観察角度を変えることにより文字が見え隠れする。基材表面のＪＩＳ  Ｚ８７２９で規定される明度（Ｌ* ）は、０〜８０、望ましくは０〜４５の範囲内である。また、鱗片型顔料のインクに対する重量％が、１〜５０重量％、望ましくは５〜３０重量％であれば、パターンの消失効果を顕著なものとすることができる有価証券が開示されている（特開平１１−１１０６９号公報参照）。しかし、この方法では顔料の分布密度を変化させることによりパターンを出現させているため、印刷物濃度及び印刷物膜厚が不均一になり通常時にも視認されやすくなり、容易に潜像画像を形成する場所が確認出来てしまうという欠点がある。また、出現させようとしているパターンが単純なベタ画像であり、画線で構成されていないため、色の変化が出現と消失の一つのパターンでしか発生せず単調なものとなっている。また、印刷物については印刷物の線画の厚みが及ぼす効果について触れておらず、単なるインキの盛りの少ない印刷物についてのみ言及している。
【０００５】
また、光学的変化構造を持ったデータキャリアにエンボスにより凹凸をつけ、偽造防止効果を持たせた光学的変換要素を有するデータキャリアが開示されている。（特表平１１−５０１５９０）しかし、この方法では表面に印刷を行った後にエンボスを施す、またはエンボスを施した後に印刷を行うため、印刷とエンボスの２行程が必要であるという煩わしさがあり、エンボス位置と印刷位置の位置ずれ等の問題を生じる恐れがあった。さらに、効果を持たせたい面の裏側にもエンボスの後が残るため、裏面のデザインに悪影響を及ぼす問題もある。また、印刷物に圧が加わることにより、エンボスが失われると同時に、効果も失われるという問題もあった。
【０００６】
【発明が解決しようとする課題】
本発明は、このような従来の問題を解決することを目的としたもので、真上から観察した場合にメッセージ画像が確認されることなく、斜めから観察した場合に浅い観察角度においてもメッセージ画像が顕在化され、更に深い観察角度においては例えば、浅い角度で観察した場合ではメッセージ画像がポジ画像の場合、ネガ画像に変化し、インキの盛りを必要以上に高くする必要がなく、また、エンボス等の加工を施すことがないため印刷面の裏面への影響、加圧による効果の消失等の問題が発生することがなく、印刷とエンボスの２行程を必要とせず、更にパール顔料を使用して盛りのある印刷物を作製する上で光学的効果を損なうことのない真偽判別可能な印刷物及びその作製方法を提案することを目的とする。
【０００７】
本発明は、基材上の表面に、盛り上がりのある線画から構成される基本画像を設け、前記基本画像は、背景画像部と少なくとも一つ以上のメッセージ画像部とに区分けされ、前記背景画像部と前記メッセージ画像部との線画の配列方向の角度が異なり、且つ、前記背景画像部と前記メッセージ画像部は鏡面光沢のあるインキで印刷した印刷物であって、前記インキが、鱗片状顔料、金属粉顔料、ガラスフレーク又はコレステリック液晶顔料を含み、前記顔料が、平面配向性を向上させるために撥水及び撥油性を持たせる表面処理を施してあり、該印刷物を真上から観察した場合に前記メッセージ画像は認識できないが、斜めから観察した場合に、前記メッセージ画像が出現し、観察角度によっては、前記メッセージ画像の明暗及び色彩の少なくとも一つ以上が連続的に変化し、前記メッセージ画像がネガ画像からポジ画像又はポジ画像からネガ画像に変化して出現することを特徴とした真偽判別可能な印刷物である。
【０００９】
本発明は、前記背景画像部の線画及び前記メッセージ画像部の線画が、万線パターン及び曲万線パターンの少なくとも一つ以上で構成されていることを特徴とした真偽判別可能な印刷物である。
【００１０】
本発明は、前記背景画像部の線画及び前記メッセージ画像部の線画のそれぞれの画線幅が３０から１０００ミクロンの範囲であることを特徴とした真偽判別可能な印刷物である。
【００１１】
本発明は、前記盛り上がりのある線画の各画線の高さが１０ミクロンから１５０ミクロンの範囲であることを特徴とした真偽判別可能な印刷物である。
【００１２】
本発明は、前記インキがＵＶ硬化型インキまたは電子線硬化型インキであることを特徴とした真偽判別可能な印刷物である。
【００１５】
本発明は、基材上の表面に、盛り上がりのある線画から構成される基本画像を設け、前記基本画像は、背景画像部と少なくとも一つ以上のメッセージ画像部とに区分けされ、前記背景画像部と前記メッセージ画像部との線画の配列方向の角度が異なり、且つ、前記背景画像部と前記メッセージ画像部は鏡面光沢のあるインキで印刷する印刷物の作製方法であって、該印刷物を真上から観察した場合に前記メッセージ画像は認識できないが、斜めから観察した場合に、前記メッセージ画像が出現し、観察角度によっては、前記メッセージ画像の明暗及び色彩の少なくとも一つ以上が連続的に変化し、前記メッセージ画像がネガ画像からポジ画像又はポジ画像からネガ画像に変化して出現することを特徴とした真偽判別可能な印刷物の作製方法である。
【００１６】
本発明は、基材上の表面に、盛り上がりのある線画から構成される基本画像を設け、前記基本画像は、背景画像部と少なくとも一つ以上のメッセージ画像部とに区分けされ、前記背景画像部と前記メッセージ画像部との線画の配列方向の角度が異なり、且つ、前記背景画像部と前記メッセージ画像部は鏡面光沢のあるスクリーン印刷用のインキでする印刷物の作製方法であって、該印刷物を真上から観察した場合に前記メッセージ画像は認識できないが、斜めから観察した場合に、前記メッセージ画像が出現し、観察角度によっては、前記メッセージ画像の明暗及び色彩の少なくとも一つ以上が連続的に変化し、前記メッセージ画像がネガ画像からポジ画像又はポジ画像からネガ画像に変化して出現することを特徴とした真偽判別可能な印刷物の作製方法である。
【００１７】
本発明は、前記背景画像部の線画及び前記メッセージ画像部の線画が、万線パターン及び曲万線パターンの少なくとも一つ以上で構成され、印刷することを特徴とした真偽判別可能な印刷物の作製方法である。
【００１８】
本発明は、前記背景画像部の線画及び前記メッセージ画像部の線画のそれぞれの画線幅３０から１０００ミクロンの範囲で印刷することを特徴とした真偽判別可能な印刷物の作製方法である。
【００１９】
本発明は、前記盛り上がりのある線画の各画線の高さが１０ミクロンから１５０ミクロンの範囲で印刷することを特徴とした真偽判別可能な印刷物の作製方法である。
【００２０】
本発明は、前記インキがＵＶ硬化型インキまたは電子線硬化型インキで印刷し、印刷後に、活性エネルギー線を照射することを特徴とした真偽判別可能な印刷物の作製方法である。
【００２１】
本発明は、前記ＵＶ硬化型インキまたは前記電子線硬化型インキが、パール顔料のような鱗片状顔料、金属粉顔料、ガラスフレーク又はコレステリック液晶顔料を含むもので印刷し、印刷後に、活性エネルギー線を照射することを特徴とした真偽判別可能な印刷物の作製方法である。
【００２２】
本発明は、前記顔料が平面配向性（リーフィング効果）を向上させるために撥水、撥油性を持たせる表面処理を施し印刷することを特徴とした真偽判別可能な印刷物の作製方法である。
【００２３】
【発明の実施の形態】
次に図面を参照して本発明に係る真偽判別可能な印刷物の実施形態について説明する。
【００２４】
図１は基材１上に背景画像部である盛り上がりのある線画２と、メッセージ画像部である盛り上がりのある線画３を鏡面光沢のあるインキで印刷した印刷物を示す拡大図である。図２は図１におけるＢ−Ｂ’断面図を示す拡大図である。図２に示すように線画１及び線画２は盛り上がりのある線画で構成されている。この印刷物を真上から、すなわち印刷物に対して真上から印刷物を観察した限りにおいては、背景画像部及びメッセージ画像部は細い線画で印刷され、光の反射の影響をうけにくいため、ベタに近い印刷領域として認識され、背景画像部とメッセージ画像部における線画の配列方向の違いに起因する潜像画像の顕像化は発生しない。
【００２５】
本発明の印刷物を真上から観察すると、ベタな印刷物のように認識されるためには、前記背景画線部の線画及び前記メッセージ画像部の線画において、それぞれの画線幅は３０から１０００ミクロンの範囲が好ましく、更に好ましくは６０から２００ミクロンの範囲が好ましい。
【００２６】
本発明の印刷物を斜めから観察した場合に、前記メッセージ画像が出現し、更に、観察角度によっては、前記メッセージ画像の明暗及び色彩の少なくとも一つ以上が連続的に変化し、前記メッセージ画像がネガ画像からポジ画像又はポジ画像からネガ画像に変化して出現する。
【００２７】
本発明の印刷物を傾けて観察した場合、メッセージ画像部を明瞭に出現させるには、背景画像部の線画及びメッセージ画像部の線画が、万線パターン及び曲万線パターンの少なくとも一つ以上で構成することで背景画像部とメッセージ画像部との反射光の光量の違いにより明暗差がはっきりするため、よりメッセージ画像部の潜像画像部の視認性が向上する。更に，万線パターン及び曲万線パターンの画線と非画線部を等間隔にすることが好ましい。また、背景画像部の線画とメッセージ画像部の線画の異なる配列方向の角度は、３０度から１５０度の範囲であることが好ましい。更に好ましくは、背景画像部の線画の配列方向の角度を０度とした場合、メッセージ画像部の線画の異なる配列方向の角度は９０度が好ましい。また、例えば、基本画像に３つメッセージ画像部を入れた場合、背景画像部を０度とした場合、メッセージ画像部の配列方向の角度は４５、９０又は１３５度に設定すればよい。また、本発明の背景画像部の線画及びメッセージ画像の線画において、各画線の画線幅を段階的及び／又は連続的に変化させることで、印刷物を傾けることにより、任意の階調を有する潜像画像が表現され、偽造防止の向上を図ることが出来る。
【００２８】
更に、本発明の印刷物を傾けて観察した場合、メッセージ画像部を明瞭に出現させるには、本発明の線画は盛り上がりを有する必要があり、背景画像部及びメッセージ画像部の各線画のインキの盛りが１０ミクロンから１５０ミクロンの範囲であることが望ましい。インキの盛りが１０ミクロン以下であると、本発明の印刷物を傾けて観察した場合、メッセージ画像部が明瞭に出現しにくくなり、１５０ミクロン以上であると本発明の効果を得ることはできるが作製上困難となる。
【００２９】
本発明の背景画像部及びメッセージ画像部を形成するインキは鏡面光沢のあるインキであれば色の種類は限定せず透明なものでも良い。本発明の鏡面光沢のあるインキは、通常の書籍等で用いられるインキよりも光反射性が高いインキである高度の鏡面光沢を有したインキである。例えば、図３に鏡面光沢のあるインキを使用した印刷物の拡大図を示す。この印刷物に例えばＡの方向から光を照射すると、線画４のａの部分からの光の反射量に対し、線画４のｂ及び線画５のｃの部分の光の反射量が少ないため、明度差が生じることにより潜像が確認出来るようになる。
【００３０】
更に、本発明の盛り上がりのある線画を作製するには、ＵＶ硬化型インキ、電子線硬化型インキ、紫外線硬化及び酸化重合機能を併せ持つインキ（特許２１１３８８０号参照）、又は２液混合型インキが使用できるが、ＵＶ硬化型インキ、電子線硬化型インキで作製することが好ましい。例えば、ＵＶ硬化型インキを用いた場合、印刷機上又は印刷後に紫外線照射装置等の活性エネルギー線を用いてインキを硬化させる必要がある。また、ＵＶ硬化型インキまたは前記電子線硬化型インキに、パール顔料のような鱗片状顔料、金属粉顔料、ガラスフレーク又はコレステリック液晶顔料を含有することにより光の反射の影響及び顔料独自の効果が得られ浅い角度でメッセージ画像が出現する。よって、複写機、画像入力装置等の偽造防止の向上を図ることができる。
【００３１】
パール顔料等の鱗片状顔料を使用した一般的なオフセット印刷物に代表されるようなインキの盛りの少ないパール印刷物の光学的色変化の模式図を図４に示す。画像を見る位置を固定した場合Ｘの高さから光を照射した時の色が光源の高さＹに変えたときに色彩が変化し、更にＺの高さに光源を移動させると色彩がＸの高さから光を照射した場合の色彩に戻るという特徴を持っている。
【００３２】
パール顔料等の鱗片状顔料を使用し、印刷物のインキの盛りの少ない画線を組み合わせた画像の印刷物及びその断面図の拡大図を図５に示す。この印刷物に対して視点を固定して光源の位置を変えて光を照射すると、線画６及び線画７は同じタイミングで色彩の変化が発生する。
【００３３】
ここで使用されるパール顔料は虹彩色パール顔料でも２色性パール顔料でもその他の鱗片状顔料でも構わない。ただし、盛り上がっている線画の表面で顔料が配向するように顔料の表面処理（例として特開２００１−１０６９３７号公報参照に示されるような撥水、撥油性処理）を行った物を使用することで鱗片状顔料の配向性（リーフィング効果）を向上させることができ、図６に示すように印刷物表面で顔料が配向して本発明の効果を向上することができる。この場合、盛り上がりのある線画は速硬化性を有する必要があるため、ＵＶ硬化型インキ、電子線硬化型インキ、紫外線硬化及び酸化重合機能を併せ持つインキ（特許２１１３８８０号参照）、又は２液混合型インキに上記記載のような表面処理（撥水、撥油性処理）を行った顔料を配合させたインキにより印刷し、印刷後に紫外線照射装置等の活性エネルギー線を照射する必要がある。よって盛り上がりのある線画を用いても顔料が沈降せず、図６に示すように印刷物表面で顔料が配向して本発明の効果を向上することができる。撥水、撥油性処理を施していない場合は鱗片状顔料が配向する前にインキが硬化するために、パール効果が発生しないか、あるいはパール効果が発生したとしても撥水、撥油性処理を施した顔料と比較して効果が劣るものとなる。
【００３４】
パール顔料の粒子径の大きさは１〜１５０μｍのものを用い、好ましくは５〜５０μｍで、平均粒径が１０〜１５μｍ程度が好ましい。
【００３５】
図７は、図３に示した線画５を撥水、撥油性処理を施した鱗片状顔料を使用して印刷した線画８にＡ方向から光を当てＢの方向から見た拡大図を示す。視点を固定し、光源の高さを変えると線画８に関しては線画のインキの盛りが少ないものと同様のタイミングで色彩の変化が発生する。
【００３６】
同様に図８に図３に示した線画４を撥水、撥油性処理を施した鱗片状顔料を使用して印刷した線画９にＡ方向から光を当てＢの方向から見た拡大図を示す。線画９に関しては画線のインキの盛りが厚いため立体状になっており、まずａの面で色彩の変化が発生することにより潜像画像の確認が出来るようになる。光を当てる角度を変えると、続いてｂの面で色彩の変化が発生する。ちなみにこのタイミングで図７の線画８も同時に色彩の変化が発生するためメッセージ画像と背景画像の区別がつかなくなる。さらに光を当てる角度を変えるとｃの面で色彩の変化が発生することにより再び潜像画像が確認できる。つまり線画９では色彩の変化が連続的に繰り返し発生するため、１回しか色彩の変化が発生しない線画８と色彩の変化のタイミングがずれたり一致したりすることにより、画像の消失及び発現が顕著になる。また、色彩の変化が連続的に繰り返し発生することは色彩の変化が発生する角度を広くする効果もある。
【００３７】
本発明の印刷に使用される印刷手段はインキの盛りを付与できる印刷方式であれば特に限定されるものではないが、スクリーン印刷技法を用いることが好ましい。また、印刷機の調整においては特別な調整は不要であり、一般的な設定で印刷することが可能である。
【００３８】
本発明の基材は紙葉類、プラスチックフィルム、金属、布等を用いることができる
【００３９】
【実施例】
以下、実施例を用いて本発明を更に詳細に説明するが、本発明の内容は、これらの実施例の範囲に限定されるものではない。
【００４０】
（実施例１）
図９は、本発明の基本画像Ｐを示す拡大図である。ピッチ幅２００ミクロン、画線幅１００ミクロンの線画から構成される基本画像Ｐを有し、基本画像Ｐは、背景画像部１０と、潜像を施したメッセージ画像１１とに区分けされ、背景画像部１０の線画の配列方向の角度を０度としたときに、メッセージ画像１１の線画を９０度とし、基本画像Ｐを得た。
【００４１】
得られた基本画像Ｐをもとに、スクリーン版面を作製し、下記の配合割合でインキを作製した。
スクリーン印刷用インキの組成
顔料                                    １０重量部
（ＳｉＯ2  シリカ粉）
ウレタンアクリレート                    ５０重量部
（日本化薬社製ＵＸ−４１０１）
モノマー                                ３０重量部
（日本化薬社製ＰＥＧ−４００ＤＡ）
開始剤                                    ９重量部
（チバスペシャルティーケミカルズ社製イルガキュア８１９）
禁止剤                                ０．５重量部
（東京化成工業社製メチルヒドロキノン）
消泡剤                                ０．５重量部
（東レ・ダウコーニングシリコン社製ＳＣ５５４０）
得られたスクリーン版面、スクリーンインキを用い、スクリーン印刷機で印刷を行い、紫外線照射装置で硬化させ、実施例１の印刷物を得た。
【００４２】
図１０は、実施例１の印刷物を真上から観察した場合の図を示す。図１０に示すように、この印刷物を真上から観察すると、基本画像Ｐは全体的に一様なベタに近い印刷領域として認識され、メッセージ画像１１は肉眼で認識することができない。図１１は実施例１の印刷物を浅い角度で斜めから観察した場合の図であり、背景画像部１０とメッセージ画像１１に明度差が生じ、メッセージ画像１１がポジ画像として認識でき、メッセージ画像が認識できた。図１２は実施例１の印刷物を深い角度で斜めから観察した場合の図であり、背景画像部１０とメッセージ画像１１に明度差が生じ、メッセージ画像１１がネガ画像として認識でき、メッセージ画像が認識できた。
【００４３】
観察角度を浅い角度から徐々に深い角度に変化させていくと背景画像部１０とメッセージ画像部１１は徐々にネガ画像からポジ画像あるいはポジ画像からネガ画像に変化して認識できた。また、観察方向の違いによっては、印刷物を浅い角度から徐々に深い角度に変化させていくと背景画像部１０が徐々にネガ画像からポジ画像あるいはポジ画像からネガ画像に変化してメッセージ画像１１がポジ画像からネガ画像あるいはネガ画像からポジ画像に変化してメッセージ画像１１が認識できた。
【００４４】
（実施例２）
実施例1と同様の方法で下記の配合割合で作製したインキを用い、実施例２の印刷物を得た。
スクリーン印刷用インキの組成
鱗片状顔料                            ２０重量部
（メルク・ジャパン社製高配向性パール顔料）
ウレタンアクリレート                  ４０重量部
（日本化薬社製ＵＸ−４１０１）
モノマー                              ３０重量部
（日本化薬社製ＰＥＧ−４００ＤＡ）
開始剤                                    ９重量部
（チバスペシャルティーケミカルズ社製イルガキュア８１９）
禁止剤                                ０．５重量部
（東京化成工業社製メチルヒドロキノン）
消泡剤                                ０．５重量部
（東レ・ダウコーニングシリコン社製ＳＣ５５４０）
【００４５】
この印刷物を真上から観察すると、全体的に一様なベタに近い印刷領域として認識され、メッセージ画像１１は肉眼で認識することができないが、斜めから観察した場合、背景画像部１０とメッセージ画像１１とに色彩の変化が生じ、更に実施例１の印刷物より明度差が生じ、より明瞭にメッセージ画像が認識できた。
【００４６】
次に、良好なインキの盛りを判断するするためにサンプルを作製し、得られた印刷物を傾けて観察した場合のメッセージ画像部の視認性のテストを行った。評価方法については、はっきりとメッセージ画像がネガ画像からポジ画像に変化しているものが解るものを○、はっきりとではないがメッセージ画像が変化していることが識別できるものを△、ほとんど識別できないもの又はまったく識別できないものを×、という三段階で評価した。評価結果については表１に示す。
【００４７】
【表１】
0003718712.tif 000002
【００４８】
（比較例１）
実施例1と同様の方法で下記の配合割合で作製したインキを用い、比較例１の印刷物を得た。（溶剤乾燥型）
スクリーン印刷用インキの組成
鱗片状顔料                          ２０重量部  実施例２と同様の顔料
（メルク・ジャパン社製高配向性パール顔料）
溶剤型ワニス                    ７９．５重量部
（セイコーアドバンス社製ＳＧ７２０）
消泡剤                            ０．５重量部
（東レ・ダウコーニングシリコン社製ＳＣ５５４０）
比較例１の印刷物を斜めから観察した場合、メッセージ画像を認識することができなかった。
【００４９】
（比較例２）
実施例1と同様インキを用い、オフセット印刷方式で印刷を行い、比較例２の印刷物を得た。比較例２の印刷物を斜めから観察した場合、メッセージ画像を認識することができなかった。
【００５０】
以上、本実施例に基づいて説明したが、本発明はこれに限定されるものでなく、特許請求の範囲記載における技術的思想の範囲内であれば、その他のいろいろな実施形態が考えられる。
【００５１】
【発明の効果】
以上の説明から明らかなように、真上から観察した場合にメッセージ画像が確認されることなく、斜めから観察した場合に浅い観察角度においてもメッセージ画像が顕在化され、更に深い観察角度においてはメッセージ画像はネガ画像からポジ画像又はポジ画像からネガ画像に変化しするため、高価な真偽判別装置を用いなくとも、誰でもその場で容易に真偽判別することができる。
【００５２】
また、インキの盛りを必要以上に高くする必要がなく、また、エンボス等の加工を施すことがないため印刷面の裏面への影響、加圧による効果の消失等の問題が発生することがなく、印刷とエンボスの２行程を必要としないため、作業効率を図ることができる。
【００５３】
更にパール顔料等を含むインキを使用して盛りのある印刷物を作製することにおいて光学的効果を損なうことのなく、観察角度によって、背景画像部の色彩及び／又は明度の変化とメッセージ画像部の色彩及び／又は明度の変化のタイミングがずれ、見る角度によってはメッセージ画像がネガ画像からポジ画像又はポジ画像からネガ画像に変化する度合いが顕著となり偽造防止効果が向上する。
【図面の簡単な説明】
【図１】本発明の線画構成の例を示す拡大図である。
【図２】図１におけるＢ−Ｂ’断面図を示す拡大図である。
【図３】鏡面光沢のあるインキを使用した印刷物を示す拡大図である。
【図４】パール顔料等の鱗片状顔料を使用した一般的な薄膜のパール印刷物の光学的色変化の模式図である。
【図５】パール顔料等の鱗片状顔料を使用し、印刷物のインキの盛りの少ない画線を組み合わせた画像の印刷物及びその断面図の拡大図である。
【図６】本発明の表面処理を施した鱗片状顔料の分布を示す拡大図である。
【図７】図３に示した線画５を撥水処理を施した鱗片状顔料を使用して印刷した印刷物にＡ方向から光を当てＢの方向から線画８を見た拡大図である。
【図８】図３に示した線画４を撥水処理を施した鱗片状顔料を使用して印刷した印刷物にＡ方向から光を当てＢの方向から線画９を見た拡大図である。
【図９】本発明の基本画像を示す拡大図である。
【図１０】本発明の印刷物を真上から見た拡大図である。
【図１１】本発明の印刷物を浅い角度で斜めから観察した場合の拡大図である。
【図１２】本発明の印刷物を深い角度で斜めから観察した場合の拡大図である。
【符号の説明】
１                基材
２、３、４、５、  線画
６、７、８、９
１０              背景画像部
１１              メッセージ画像部
Ｐ                基本画像
【図１】
0003718712.tif 000003
【図２】
0003718712.tif 000004
【図３】
0003718712.tif 000005
【図４】
0003718712.tif 000006
【図５】
0003718712.tif 000007
【図６】
0003718712.tif 000008
【図７】
0003718712.tif 000009
【図８】
0003718712.tif 000010
【図９】
0003718712.tif 000011
【図１０】
0003718712.tif 000012
【図１１】
0003718712.tif 000013
【図１２】
0003718712.tif 000014